(57)【要約】【課題】エアコンのドレンホースのような可撓性パイプの曲がりを直線状に矯正する。【解決手段】  本発明に係る矯正装置イは、所定の太さを有する可撓性のパイプ（ドレンホースＨ）の長手方向に沿って所定の間隔を保ってそのパイプ（Ｈ）に取り付けられる複数のフック１と、これら複数のフック１間に取り付けられる所定の太さを有する直線状の矯正材１０Ａ，１０Ｂとからなる。フック１は、所定の厚さを有するフック本体１Ａに、所定の太さを有するパイプ（Ｈ）に嵌合する溝状のパイプ嵌合溝２、及びこのパイプ嵌合溝２と所定の間隔を保ち、かつこのパイプ嵌合溝２の軸心方向と同一の軸心方向を有する所定の太さを有する直線状の矯正材１０Ａ，１０Ｂを嵌入する溝状あるいは孔状の矯正材嵌入部３Ａ，３Ｂを設けて構成している。【選択図】  図１
2005199279.tif 000002
【特許請求の範囲】
【請求項１】
所定の厚さを有するフック本体に、所定の太さを有する可撓性のパイプに嵌合するパイプ嵌合溝、及びこのパイプ嵌合溝と所定の間隔を保ち、かつこのパイプ嵌合溝の軸心方向と同一の軸心方向を有する所定の太さを有する直線状の矯正材を嵌入する矯正材嵌入部を設けたことを特徴とするフック。
【請求項２】
請求項１に記載のフックにおいて、矯正材嵌入部は、複数個設けられていることを特徴とするフック。
【請求項３】
請求項１又は２に記載のフックにおいて、所定の太さを有する可撓性のパイプは、エアコンのドレンホースであることを特徴とするフック。
【請求項４】
所定の太さを有する可撓性のパイプの長手方向に沿って所定の間隔を保ってそのパイプに取り付けられる複数のフックと、この複数のフック間に取り付けられる所定の太さを有する直線状の矯正材と、からなることを特徴とする矯正装置。
【請求項５】
請求項４に記載の矯正装置において、フックは、所定の厚さを有するフック本体に、所定の太さを有する可撓性のパイプに嵌合するパイプ嵌合溝、及びこのパイプ嵌合溝と所定の間隔を保ち、かつこのパイプ嵌合溝の軸心方向と同一の軸心方向を有する所定の太さを有する直線状の矯正材を嵌入する矯正材嵌入部を設けて構成されていることを特徴とする矯正装置。
【請求項６】
請求項４又は５に記載の矯正装置において、矯正材嵌入部は、複数個設けられていることを特徴とする矯正装置。
【請求項７】
請求項４乃至６のいずれかに記載の矯正装置において、所定の太さを有する可撓性のパイプは、エアコンのドレンホースであることを特徴とする矯正装置。
【発明の詳細な説明】
【技術分野】
【０００１】
本発明は、例えばエアコン等の空気調和機器におけるドレンホースのような可撓性のパイプの曲がりをほぼ直線状に矯正することのできるフック及びこれを用いた矯正装置に関する。
【背景技術】
【０００２】
従来、エアコン（エアコンデショナー）の排水用のドレンホースは、エアコンの室内ユニットと室外ユニットとを接続する冷媒用の配管（パイプ）に沿わせて配設されるように構成されている。また、近年、冷媒用の配管は、建物の壁面に設けられた化粧用のダクト内に収納されるようになってきている。このように、冷媒用の配管及びドレンホースがダクト内に収納されると、配管の断熱性が良くなり、したがってエアコンの冷暖房効率を高めることができ、さらに、配管及びドレンホースの見栄えが良くなるので、建物の外観を良くすることができるという効果がある。
【特許文献１】特になし
【発明の開示】
【発明が解決しようとする課題】
【０００３】
しかしながら、上記従来のエアコンのドレンホースは、エアコンの冷媒用の配管と共にダクト内に収納したとしても、そのダクトから露出させて地面（床面）に至るまでドレン水を案内排水するために、露出部分は地面まではフリーとなるので、そのダクトからの露出部分は本来の曲がり癖によって屈曲しやすく、このようにドレンホースが屈曲すると見栄えが損なわれるおそれがあった（後述する本発明を実施するための最良の形態の項で用いる図１に鎖線で示されるドレンホースＨ参照。）。
【０００４】
すなわち、エアコンのドレンホースは、製造工場から出荷されるときは巻回されているので、現場においてエアコンに取り付け配管された場合、その巻回に起因する曲がりの癖がついてダクトから露出した部分が曲がってしまい、見栄えを悪くしてしまうという欠点があった。また、エアコンのドレンホースの設置当初は直線状に取り付けられていても、経年により本来の原形に戻るように屈曲してしまい、見栄えが悪くなるという欠点があった。
【０００５】
そこで、本発明は、上記欠点を解決するためになされたものであって、その目的は、例えばエアコンのドレンホースのような曲がり癖がある可撓性のパイプ類を直線状に矯正し、見栄えを良好なものとするのに好適なフック及びこのフックを用いた矯正装置を提供することにある。
【課題を解決するための手段】
【０００６】
上記目的を達成するために、本発明に係るフック１は、所定の厚さを有するフック本体１Ａに、所定の太さを有する可撓性のパイプ（Ｈ）に嵌合する例えば溝状のパイプ嵌合溝２、及びこのパイプ嵌合溝２と所定の間隔を保ち、かつこのパイプ嵌合溝２の軸心方向と同一の軸心方向を有する所定の太さを有する直線状のパイプあるいは中実棒の矯正材１０Ａ，１０Ｂを嵌入する例えば溝状あるいは孔状の矯正材嵌入部３Ａ，３Ｂを設けたことを特徴としている。
上記構成からなるフック１において、パイプ嵌合溝２によって所定の太さを有する可撓性のパイプ（Ｈ）の任位置に直接に嵌合させ、また、矯正材嵌入部３Ａ，３Ｂには所定の太さを有する直線状の矯正材１０Ａ，１０Ｂが嵌入されることで、可撓性のパイプ（Ｈ）の姿勢は直線状に矯正される。
また、本発明に係るフック１は、矯正材嵌入部３Ａ，３Ｂを複数個設けていることを特徴としており、矯正材１０Ａ，１０Ｂを複数にして使用することでパイプ（Ｈ）の曲がりを一層強く矯正させる。
そして、本発明に係るフック１は、所定の太さを有する可撓性のパイプをエアコンのドレンホースＨとしていることを特徴としている。
また上記目的を達成するために、本発明に係る矯正装置イは、所定の太さを有する可撓性のパイプ（Ｈ）の長手方向に沿って所定の間隔を保ってそのパイプ（Ｈ）に取り付けられる複数のフック１と、これら複数のフック１間に取り付けられる所定の太さを有する直線状のパイプあるいは中実棒の矯正材１０Ａ，１０Ｂと、からなることを特徴としている。
上記構成からなる矯正装置イは、所定の太さを有する可撓性のパイプ（Ｈ）に所定の間隔を保って複数のフック１を嵌合させ、また、これら複数のフック１の相互間には所定の太さを有する直線状の矯正材１０Ａ，１０Ｂが嵌入連結されることで、可撓性のパイプ（Ｈ）の姿勢は直線状に矯正される。
また、本発明に係る矯正装置イにおいて、フック１は、所定の厚さを有するフック本体１Ａに、所定の太さを有する可撓性のパイプ（Ｈ）に嵌合する例えば溝状のパイプ嵌合溝２、及びこのパイプ嵌合溝２と所定の間隔を保ち、かつこのパイプ嵌合溝２の軸心方向と同一の軸心方向を有する所定の太さを有する直線状のパイプあるいは中実棒の矯正材１０Ａ，１０Ｂを嵌入する例えば溝状あるいは孔状の矯正材嵌入部３Ａ，３Ｂを設けて構成されていることを特徴としている。
そして、本発明に係る矯正装置イは、矯正材嵌入部３Ａ，３Ｂを複数個設けていることを特徴としている。
さらに、本発明に係る矯正装置イは、所定の太さを有する可撓性のパイプをエアコンのドレンホースＨとしていることを特徴としている。
【発明の効果】
【０００７】
以上のように構成された本発明に係るフック１は、所定の厚さを有するフック本体１Ａに、所定の太さを有する可撓性のパイプ（Ｈ）に嵌合するパイプ嵌合溝２と、所定の太さを有する直線状の矯正材１０Ａ，１０Ｂを嵌入する矯正材嵌入部３Ａ，３Ｂとを有しているので、矯正材嵌入部３Ａ，３Ｂに矯正材１０Ａ，１０Ｂを嵌入することにより、曲がり癖がついた可撓性のパイプ（Ｈ）の姿勢を直線状に容易に矯正することができる。
【０００８】
また、本発明に係るフック１は、矯正材嵌入部３Ａ，３Ｂを複数個設けているから、複数の矯正材１０Ａ，１０Ｂを配設連結することでより矯正力を高めることができる。
【０００９】
そして、本発明に係るフック１は、可撓性のパイプをエアコンのドレンホースＨとしているので、エアコンのドレンホースＨの姿勢を直線状に効果的に矯正でき、例えばダクトから露出された曲がり癖あるドレンホースＨを見栄えよく配管することができる。
【００１０】
本発明に係る矯正装置イは、所定の太さを有する可撓性のパイプ（Ｈ）に所定の間隔を保って複数のフック１を取り付けるとともに、これら複数のフック１間に矯正材１０Ａ，１０Ｂを取り付けたので、可撓性のパイプ（Ｈ）の姿勢を直線状に容易に矯正でき、しかも曲がり程度の強弱に対応して複数箇所に取り付けることで、矯正効果を一層向上することができる。
【００１１】
また、本発明に係る矯正装置イにおいて、フック１は、所定の厚さを有するフック本体１Ａに、所定の太さを有する可撓性のパイプ（Ｈ）に嵌合するパイプ嵌合溝２と、所定の太さを有する直線状の矯正材１０Ａ，１０Ｂを嵌入する矯正材嵌入部３Ａ，３Ｂとを有しているので、矯正材嵌入部３Ａ，３Ｂに矯正材１０Ａ，１０Ｂを嵌入することにより可撓性のパイプ（Ｈ）の姿勢を直線状に容易に矯正することができる。
【００１２】
そして、本発明に係る矯正装置イは、矯正材嵌入部３Ａ，３Ｂを複数個設けているので、より矯正力を高めることができる。
【００１３】
さらに、本発明に係る矯正装置イは、可撓性のパイプをエアコンのドレンホースＨとしているので、エアコンのドレンホースＨの曲がり癖の姿勢を直線状に容易に矯正することができる。
【００１４】
フック本体１Ａにおいてのパイプ嵌合溝２は側方が開放されている溝状とすることで、ホース（Ｈ）の任位置にホース（Ｈ）自体の側方から直接に嵌合して取り付けることができ、既設、新設を問わず、いずれにも使用できるのである。
【００１５】
フック本体１Ａにおいての矯正材嵌入部３Ａ，３Ｂは、側方が開放されている溝状とすることで、ホース（Ｈ）に取り付けた後のフック１であっても矯正材１０Ａ，１０Ｂを直接にフック１相互間に架け渡し状に連絡できる。もとより矯正材嵌入部３Ａ，３Ｂが孔状であっても、あらかじめ矯正材１０Ａ，１０Ｂを嵌め入れてフック１相互を連結して組立てておけば良く、使用勝手に優れるものである。
【００１６】
なお、この発明の効果の項及び上記課題を解決するための手段の項で用いた符号は、本発明の理解を容易にするためであって、これらの符号によって本発明を限定するものではない。
【発明を実施するための最良の形態】
【００１７】
以下、本発明を実施するための最良の形態を図面に基づいて説明する。図１は、本発明に係る矯正装置イを適用したエアコンの室外ユニットＵの斜視図であり、この室外ユニットＵは、所定の高さを有する架台Ｂの上に図示しない固定具を介して載置されている。
【００１８】
上記室外ユニットＵは、公知のエアコンと同様に、室内ユニット（図示せず）とは断熱材で覆われている冷媒用の配管Ｐで接続されている。そして、この配管Ｐは、室外ユニットＵの駆動制御用の電線及びドレンホースＨとともに建物の壁面に設けられているダクトＤ内に収納されている。
【００１９】
上記ドレンホースＨは、所定の太さ、例えばその外径が１４ｍｍ（以下、１４φのように記す。）や１６φ等の合成樹脂製管からなり、その外形形状はジャバラを呈していて、巻回が容易となるように工夫され、持ち運び及び現場における施工性の向上が図られている。そして、このドレンホースＨは、一端が室内ユニットに取り付けられるとともに、他端が地面（床面）の近くに位置するように設けられて、その室内ユニットで発生する水分を室外に排水できるように構成されている。なお、このドレンホースＨは、室外ユニットＵが高所に設けられている場合、例えば室外ユニットＵがベランダの天井に垂下器具等を用いて取り付けられている場合は、その室外ユニットＵにも取り付けられる。この場合も、ドレンホースＨの他端が床面（地面）の近くに位置するように設けられる。
【００２０】
図２は、図１に示される矯正装置イの使用状態図であり、図３は、その断面図である。この矯正装置イは、ドレンホースＨの先端側（他端側）、すなわちダクトＤから露出したドレンホースＨの露出部分（他端部分）に取り付けられるもので、複数個（図示の例では２個）のフック１と複数本（図示の例では２本）の矯正材１０Ａ，１０Ｂとで構成されている。
【００２１】
先ず、フック１から説明すると、このフック１は合成樹脂製からなり、所定の厚さ（高さ）を有するフック本体１Ａに、ドレンホースＨに嵌合するためのパイプ嵌合溝２と、矯正材１０Ａ，１０Ｂを嵌入するための矯正材嵌入部３Ａ，３Ｂとが設けられている。このフック本体１Ａの厚さは、パイプ嵌合溝２の内形幅員と同程度とされる。すなわち、このフック１の厚さは例えば１２ｍｍ程度とされる。なお、このフック本体１Ａの厚さは、厚いほどドレンホースＨの矯正には有利であるが、厚さが厚くなるほど材料費がかさむので厚すぎるのは好ましくなく、１２ｍｍ程度とされる。
【００２２】
フック本体１Ａに設けられる溝状のパイプ嵌合溝２の孔径は、ドレンホースＨの外径よりも少し小さくなるように決められている。例えば、１４φのドレンホースＨ用のフック１であれば、パイプ嵌合溝２の内形幅員は１３ｍｍとされる。したがって、このフック１は、ドレンホースＨの種類（太さ）に合わせて複数種用意される。
【００２３】
上記パイプ嵌合溝２を形成する溝壁の一部には、このパイプ嵌合溝２の軸方向（図示では縦方向）に沿ってスリット状の開口４が設けられている。また、このパイプ嵌合溝２を形成する壁面の肉厚は、矯正材嵌入部３Ａ，３Ｂと接続される部分を除いて薄く構成されている。したがって、このパイプ嵌合溝２は、開口４をパイプ嵌合溝２を形成する壁面の弾性力に抗して広げると、パイプ嵌合溝２の内形幅を簡単に大きくすることができ、また、その開口４を広げる力を解放すると、パイプ嵌合溝２の内形幅を元の内形幅に簡単に戻すことができる。このため、開口４を広げてフック１をドレンホースＨの所定の任位置にその側方から直接に嵌め合わせ、開口４を広げている力を解放すると、フック１は、そのドレンホースＨに所定の圧力で把持して取り付けられる。また、一度ドレンホースＨに取り付けられたフック１は、開口４を広げることによりそのドレンホースＨから簡単に取り外すことができる。
【００２４】
矯正材嵌入部３Ａ，３Ｂは、フック本体１Ａにパイプ嵌合溝２の反対側に所定の間隔を保ってそれぞれ溝状あるいは孔状に設けられていて、矯正材１０Ａ，１０Ｂの外形幅員よりも大きくない幅員の溝幅あるいは孔径に構成されている。すなわち、これら矯正材嵌入部３Ａ，３Ｂの軸心位置は、パイプ嵌合溝２の軸心位置を頂点とする二等辺三角形の底辺の両端側にそれぞれ位置する関係を保って設けられている。これら矯正材嵌入部３Ａ，３Ｂは、対称の位置関係を保って同一に構成されているので、一方の矯正材嵌入部３Ａを例に説明すると、この矯正材嵌入部３Ａは、パイプ嵌合溝２の軸心方向と同一の軸心方向を有して所定の溝幅あるいは孔径を有するように構成されている。
【００２５】
矯正材嵌入部３Ａの溝幅あるいは孔径は、この矯正材嵌入部３Ａに嵌入される矯正材１０Ａを固定できるように決められている。また、上記プパイプ嵌合溝２と同様に、この矯正材嵌入部３Ａを形成する孔壁の一部には、矯正材嵌入部３Ａの軸心方向に沿ってスリット状の開口５が設けられている。この矯正材嵌入部３Ａの平面形状は真円とすることもできるが、図示の例では楕円形に形成されている。この楕円形の長辺は、矯正材１０Ａの直径と同一で、その短径は矯正材１０Ａの直径よりも少し小さくなるように構成されている。例えば、矯正材１０Ａの直径が７ｍｍのときは、その楕円形の長径は７ｍｍで、その短径は５ｍｍとされる。
【００２６】
この矯正材嵌入部３Ａを形成する壁面の肉厚は、パイプ嵌合溝２に接続される部分を除いて薄く構成されている。したがって、矯正材嵌入部１０Ａは、開口５を矯正材嵌入部１０Ａを形成する壁面の弾性力に抗して広げると、矯正材嵌入部１０Ａの内形幅を簡単に大きくすることができ、さらに、その開口５を広げる力を解放すると、矯正材嵌入部１０Ａの内形幅を元の内形幅に簡単に戻すことができる。このため、開口５を広げて矯正材１０Ａを挿入し、開口５を広げている力を解放すると、矯正材１０Ａは、その矯正材嵌入部３Ａに所定の圧力で把持して取り付けられる。また、一度矯正材嵌入部３Ａに取り付けられた矯正材１０Ａは、開口５を広げることによりその矯正材嵌入部３Ａから簡単に取り外すことができる。矯正材嵌入部３Ｂも、この矯正材嵌入部３Ａと同様に構成されている。
【００２７】
矯正材１０Ａ，１０Ｂは直線状を呈し、撓みにくい性質のパイプあるいは中実棒の合成樹脂製からなり、矯正材嵌入部３Ａ，３Ｂに嵌入できる上述した所定の太さを有し、かつ所定の長さを有してそれぞれ構成されている。これら矯正材１０Ａ，１０Ｂの長さは、例えば、３０〜５０ｃｍとされ、その長さは矯正しようとするドレンホースＨに合わせて切断して調整することもできる。また、これら矯正材１０Ａ，１０Ｂの断面形状は、図示のように中空とすることもできるが、中実としてもよい。なお、その断面形状を角型又はＬ型等としてもよい。この場合は、矯正材嵌入部３Ａ，３Ｂの内形はその断面外形状に合わせた溝あるいは孔形状とされる。
【００２８】
上記構成からなる矯正装置イをドレンホースＨに取り付けるには、図１に示されるように、ダクトＤから露出したドレンホースＨ部分の上部及び下部にフック１がそれぞれ取り付けられる。すなわち、ダクトＤから露出したドレンホースＨの上部及び下部にフック本体１Ａのパイプ嵌合溝２を嵌合させてフック１がそれぞれ取り付けられる。そして、これらフック本体１Ａの矯正材嵌入部３Ａ，３Ｂに矯正材１０Ａ，１０Ｂをそれぞれ嵌入する。したがって、ドレンホースＨの曲がりは、矯正材１０Ａ，１０Ｂによって直線状に矯正される。矯正されるドレンホースＨの長さが長すぎる場合、例えば５０ｃｍを超えるような場合は、図２に２点鎖線で示されるように、フック１は中間にも１個又は２個以上（図示の例では１個）設けられる。
【００２９】
なお、上述の例では、矯正材１０Ａ，１０Ｂは２本としたが１本としてもよく、又は３本以上としてもよい。この場合、フック本体１Ａの矯正材嵌入部３Ａ，３Ｂは、矯正材１０Ａ，１０Ｂの本数に合わせて用意される。さらに、フック本体１Ａは、合成樹脂製としたが、これをアルミニウム合金製等としてもよい。
【００３０】
さらに場合によっては、フック１自体がフック本体１Ａの長さ（高さ）すなわちパイプ嵌合溝２における溝方向がドレンホースＨの長さ方向に対して十分な長さ（高さ）間隔がある長尺タイプ構成とすることで、この長尺タイプのフック１のみで単独で使用することも可能である（図示せず）。
【図面の簡単な説明】
【００３１】
【図１】本発明の一実施の形態に係る矯正装置をエアコンの室外ユニットに適用する場合の分解斜視図である。
【図２】図１に示される矯正装置の使用状態の斜視図である。
【図３】図２に示される矯正装置の要部断面図である。
【符号の説明】
【００３２】
イ…矯正装置                            １…フック
１Ａ…フック本体                        ２…パイプ嵌合溝
３Ａ，３Ｂ…矯正材嵌入部                ４…開口
５…開口                                １０Ａ，１０Ｂ…矯正材
Ｈ…ドレンホース（パイプ）              Ｕ…室外ユニット
Ｄ…ダクト                              Ｂ…架台
Ｐ…配管
【図１】
2005199279.tif 000003
【図２】
2005199279.tif 000004
【図３】
2005199279.tif 000005